(57)【要約】【課題】  本発明は、携帯電話機における着信拒否した電話番号での着信履歴からの発信者番号を通知しない発信者番号通知制御技術の提供を目的とする。【解決手段】  キー入力により、記憶部から読み出された着信履歴情報を表示部に表示するよう（ステップ３００）表示制御する。前記キー入力が発呼スイッチ押下であれば、前記記憶部から着信履歴発信者番号通知抑止機能設定情報を読み出す（ステップ３０１、３０２）。発信者番号通知機能抑止機能がＯＮに設定されている場合、前記記憶部に格納されている着信拒否電話番号データを読み出し（ステップ３０４）、先に読み出した着信拒否電話番号と一致するか判断し（ステップ３０５）、読み出した着信履歴データ番号と読み出した着信拒否番号とが一致していた場合、着信履歴データの電話番号に発信者番号通知を非通知とするための「１８４」を付加して発信を行う（ステップ３０６）。【選択図】  図２
2005323134.tif 000002
【特許請求の範囲】
【請求項１】
着信履歴情報及び着信拒否電話番号情報を格納する記憶手段と、前記着信履歴情報に基づいてキー入力部を介して発呼を行う発呼手段と、発信者番号通知／非通知設定手段を有する携帯電話機において、
前記着信履歴情報の内の着信拒否した電話番号に基づいて発呼する場合、前記記憶手段に格納された電話帳情報及び着信拒否電話番号情報から発呼したい着信拒否電話番号を読み出し、当該着信拒否電話番号と前記着信履歴情報の電話番号とが一致するかの判断を行い、一致する場合にのみ当該着信拒否電話番号に発信者番号通知を非通知とするための非通知付加番号を付加する制御手段を有することを特徴とする携帯電話機。
【請求項２】
前記制御手段は、前記キー入力部からのキー入力を受け、前記記憶手段に格納された着信履歴情報を読み出し、当該読み出した着信履歴情報を表示部に表示するよう表示制御し、前記キー入力部からのキー入力が発呼スイッチ押下か否かの判断を行い、発呼スイッチ押下であると判断した場合に前記非通知付加番号を付加する機能をＯＮにするかＯＦＦにするかの選択画面を画面表示するよう制御することを特徴とする請求項１記載の携帯電話機。
【請求項３】
前記制御手段は、前記非通知付加番号を付加する機能がＯＮにキー入力を介して設定された場合、前記着信履歴情報の電話番号と前記読み出された着信拒否電話番号とが一致しない場合に、前記読み出した着信履歴データの電話番号で発信を行うよう制御することを特徴とする請求項１または２記載の携帯電話機。
【請求項４】
前記制御手段は、前記非通知付加番号を付加する機能がＯＦＦにキー入力を介して設定された場合、前記読み出した着信履歴データの電話番号で発信を行うよう制御することを特徴とする請求項１または２記載の携帯電話機。
【請求項５】
前記制御手段は、
着信を受け、着信応答を行う場合、前記記憶手段に格納されている前記電話帳情報又は前記着信拒否番号情報より着信拒否電話番号を読み出し、着信応答した電話番号と前記読み出した着信拒否電話番号が一致するか否か判断し、前記着信応答した電話番号と前記読み出した着信拒否電話番号とが一致していた場合には、着信応答した電話番号に前記非通知付加番号を付加し、前記記憶手段に当該非通知付加番号を付加した付加電話番号を格納させ、前記着信応答した電話番号と前記読み出した着信拒否電話番号とが一致していなかった場合には、前記着信応答した電話番号を前記記憶手段に格納させることを特徴とする請求項１〜４のいずれかに記載の携帯電話機。
【請求項６】
発信者番号通知／非通知を設定し、着信履歴情報及び着信拒否電話番号情報を記憶手段に格納し、前記着信履歴情報に基づいてキー入力部を介して発呼を行う機能を有する携帯電話機における発信者番号通知制御方法において、
前記着信履歴情報の内の着信拒否した電話番号に基づいて発呼する場合、前記記憶手段に格納された電話帳情報及び着信拒否電話番号情報から発呼したい着信拒否電話番号を読み出すステップと、
当該着信拒否電話番号と前記着信履歴情報の電話番号とが一致するかの判断を行い、一致する場合にのみ当該着信拒否電話番号に発信者番号通知を非通知とするための非通知付加番号を付加するステップを有することを特徴とする発信者番号通知制御方法。
【請求項７】
前記キー入力部からのキー入力を受け、前記記憶手段に格納された着信履歴情報を読み出し、当該読み出した着信履歴情報を表示部に表示するステップと、
前記キー入力部からのキー入力が発呼スイッチ押下か否かの判断を行い、発呼スイッチ押下であると判断した場合に前記非通知付加番号を付加する機能をＯＮにするかＯＦＦにするかの選択画面を画面表示するステップをさらに有することを特徴とする請求項６記載の発信者番号通知制御方法。
【請求項８】
前記非通知付加番号を付加する機能がＯＮにキー入力を介して設定された場合、前記着信履歴情報の電話番号と前記読み出された着信拒否電話番号とが一致しない場合に、前記読み出した着信履歴データの電話番号で発信を行うステップをさらに有することを特徴とする請求項６または７記載の発信者番号通知制御方法。
【請求項９】
前記非通知付加番号を付加する機能がＯＦＦにキー入力を介して設定された場合、前記読み出した着信履歴データの電話番号で発信を行うステップをさらに有することを特徴とする請求項６または７記載の発信者番号通知制御方法。
【請求項１０】
着信を受け、着信応答を行う場合、前記記憶手段に格納されている前記電話帳情報又は前記着信拒否番号情報より着信拒否電話番号を読み出すステップと、
着信応答した電話番号と前記読み出した着信拒否電話番号が一致するか否か判断し、前記着信応答した電話番号と前記読み出した着信拒否電話番号とが一致していた場合には、着信応答した電話番号に前記非通知付加番号を付加し、前記記憶手段に当該非通知付加番号を付加した付加電話番号を格納させ、前記着信応答した電話番号と前記読み出した着信拒否電話番号とが一致していなかった場合には、前記着信応答した電話番号を前記記憶手段に格納させるステップをさらに有することを特徴とする請求項６〜９のいずれかに記載の発信者番号通知制御方法。
【請求項１１】
コンピュータに、発信者番号通知／非通知を設定し、着信履歴情報及び着信拒否電話番号情報を記憶手段に格納し、前記着信履歴情報に基づいてキー入力部を介して発呼を行う機能を有する携帯電話機における発信者番号通知の制御を行わせるプログラムであって、
前記着信履歴情報の内の着信拒否した電話番号に基づいて発呼する場合、前記記憶手段に格納された電話帳情報及び着信拒否電話番号情報から発呼したい着信拒否電話番号を読み出すステップと、
当該着信拒否電話番号と前記着信履歴情報の電話番号とが一致するかの判断を行い、一致する場合にのみ当該着信拒否電話番号に発信者番号通知を非通知とするための非通知付加番号を付加するステップを実行させることを特徴とするプログラム。
【請求項１２】
前記キー入力部からのキー入力を受け、前記記憶手段に格納された着信履歴情報を読み出し、当該読み出した着信履歴情報を表示部に表示するステップと、
前記キー入力部からのキー入力が発呼スイッチ押下か否かの判断を行い、発呼スイッチ押下であると判断した場合に前記非通知付加番号を付加する機能をＯＮにするかＯＦＦにするかの選択画面を画面表示するステップをさらに実行させることを特徴とする請求項１１記載のプログラム。
【請求項１３】
前記非通知付加番号を付加する機能がＯＮにキー入力を介して設定された場合、前記着信履歴情報の電話番号と前記読み出された着信拒否電話番号とが一致しない場合に、前記読み出した着信履歴データの電話番号で発信を行うステップをさらに実行させることを特徴とする請求項１１または１２記載のプログラム。
【請求項１４】
前記非通知付加番号を付加する機能がＯＦＦにキー入力を介して設定された場合、前記読み出した着信履歴データの電話番号で発信を行うステップをさらに実行させることを特徴とする請求項１１または１２記載のプログラム。
【請求項１５】
着信を受け、着信応答を行う場合、前記記憶手段に格納されている前記電話帳情報又は前記着信拒否番号情報より着信拒否電話番号を読み出すステップと、
着信応答した電話番号と前記読み出した着信拒否電話番号が一致するか否か判断し、前記着信応答した電話番号と前記読み出した着信拒否電話番号とが一致していた場合には、着信応答した電話番号に前記非通知付加番号を付加し、前記記憶手段に当該非通知付加番号を付加した付加電話番号を格納させ、前記着信応答した電話番号と前記読み出した着信拒否電話番号とが一致していなかった場合には、前記着信応答した電話番号を前記記憶手段に格納させるステップをさらに実行させることを特徴とする請求項１１〜１４のいずれかに記載のプログラム。
【請求項１６】
請求項１１〜１５に記載のプログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）。
【発明の詳細な説明】
【技術分野】
【０００１】
本発明は、着信履歴からの発信機能付き携帯電話機、発信者番号通知制御方法、プログラム、及び記録媒体に関する。
【背景技術】
【０００２】
着信拒否機能付きの電話機の先行技術として、以下の特許文献１に記載されているように、電話機に着信拒否した着信履歴の表示を区別させる機能を持たせるという技術的思想が開示されている。しかしこれだけでは利用者の誤操作等によって誤って発信者番号通知有りで発信してしまう危険性が有る。
【０００３】
また、着信拒否機能付きの他の先行技術として、以下の特許文献２に記載されているように、メモリダイヤルからの発信者番号を通知するしないを、着信履歴データの電話番号に発信者番号通知を非通知／通知とするための「１８４」「１８６」を付加し発信させるという技術的思想が開示されている。しかし、着信履歴からの発信には及んでおらず、着信履歴からの発信では発信者番号通知有りで発信してしまう危険性が生じる。
【０００４】
また、以下の特許文献３に記載されている着信拒否機能付きのさらに他の先行技術においては、不正着信を防止することを目的として着信した場合の着信履歴からの発信には及んでおらず、着信履歴からの発信では発信者番号通知有りで発信してしまう危険性が生じる。
【０００５】
また、以下の特許文献４に記載された発明のように、着信拒否機能付きでの着信拒否した電話番号を着信履歴からの削除する機能を有する先行技術がある。特許文献４には、着信履歴内に着信拒否した電話番号が一時的に格納され、着信履歴からの発信が可能な技術的思想が開示されている。しかし、利用者が発信者番号通知有りで発信してしまう危険性が生じる点は上記先行技術と変わらない。
【０００６】
【特許文献１】特開２０００−２７００７７号公報
【特許文献２】特開２０００−２７００８４号公報
【特許文献３】特開２００４−４８２６４号公報
【特許文献４】特開２００３−８５１０１号公報
【発明の開示】
【発明が解決しようとする課題】
【０００７】
周知の技術として、着信拒否機能を有する携帯電話機がある。着信拒否した電話番号は着信履歴に入り着信拒否として表示されるが、着信履歴からの発呼の場合、発信者番号通知機能がＯＦＦで有れば発信者番号が通知される事はないが、多くの場合利用者は相手に誰からの電話である事を知らせる為に、発信者番号通知機能はＯＮで使用する。
【０００８】
発信者番号通知機能がＯＮで設定されていると、着信拒否した電話番号であっても着信履歴から発呼すると発信者番号を通知するために、利用者が拒否している電話番号であるが発信者番号を通知してしまうことがあり、利用者が不利益を被るといった課題がある。
【０００９】
従って本発明の目的は、携帯電話機における着信拒否した電話番号での着信履歴からの発信者番号を通知しない発信者番号通知制御技術を提供することにある。
【課題を解決するための手段】
【００１０】
上記課題を解決するために、本件発明は、以下の特徴を有する課題を解決するための手段を採用している。
【００１１】
請求項１に記載された発明は、着信履歴情報及び着信拒否電話番号情報を格納する記憶手段と、前記着信履歴情報に基づいてキー入力部を介して発呼を行う発呼手段と、発信者番号通知／非通知設定手段を有する携帯電話機において、
前記着信履歴情報の内の着信拒否した電話番号に基づいて発呼する場合、前記記憶手段に格納された電話帳情報及び着信拒否電話番号情報から発呼したい着信拒否電話番号を読み出し、当該着信拒否電話番号と前記着信履歴情報の電話番号とが一致するかの判断を行い、一致する場合にのみ当該着信拒否電話番号に発信者番号通知を非通知とするための非通知付加番号を付加する制御手段を有することを特徴とする。
【００１２】
請求項２に記載された発明は、前記制御手段が、前記キー入力部からのキー入力を受け、前記記憶手段に格納された着信履歴情報を読み出し、当該読み出した着信履歴情報を表示部に表示するよう表示制御し、前記キー入力部からのキー入力が発呼スイッチ押下か否かの判断を行い、発呼スイッチ押下であると判断した場合に前記非通知付加番号を付加する機能をＯＮにするかＯＦＦにするかの選択画面を画面表示するよう制御することを特徴とする。
【００１３】
請求項３に記載された発明は、前記制御手段が、前記非通知付加番号を付加する機能がＯＮにキー入力を介して設定された場合、前記着信履歴情報の電話番号と前記読み出された着信拒否電話番号とが一致しない場合に、前記読み出した着信履歴データの電話番号で発信を行うよう制御する〜ことを特徴とする。
【００１４】
請求項４に記載された発明は、前記制御手段が、前記非通知付加番号を付加する機能がＯＦＦにキー入力を介して設定された場合、前記読み出した着信履歴データの電話番号で発信を行うよう制御することを特徴とする。
【００１５】
請求項５に記載された発明は、前記制御手段が、着信を受け、着信応答を行う場合、前記記憶手段に格納されている前記電話帳情報又は前記着信拒否番号情報より着信拒否電話番号を読み出し、着信応答した電話番号と前記読み出した着信拒否電話番号が一致するか否か判断し、前記着信応答した電話番号と前記読み出した着信拒否電話番号とが一致していた場合には、着信応答した電話番号に前記非通知付加番号を付加し、前記記憶手段に当該非通知付加番号を付加した付加電話番号を格納させ、前記着信応答した電話番号と前記読み出した着信拒否電話番号とが一致していなかった場合には、前記着信応答した電話番号を前記記憶手段に格納させることを特徴とする。
【００１６】
請求項６に記載された発明は、発信者番号通知／非通知を設定し、着信履歴情報及び着信拒否電話番号情報を記憶手段に格納し、前記着信履歴情報に基づいてキー入力部を介して発呼を行う機能を有する携帯電話機における発信者番号通知制御方法において、
前記着信履歴情報の内の着信拒否した電話番号に基づいて発呼する場合、前記記憶手段に格納された電話帳情報及び着信拒否電話番号情報から発呼したい着信拒否電話番号を読み出すステップと、
当該着信拒否電話番号と前記着信履歴情報の電話番号とが一致するかの判断を行い、一致する場合にのみ当該着信拒否電話番号に発信者番号通知を非通知とするための非通知付加番号を付加するステップを有することを特徴とする。
【００１７】
請求項７に記載された発明は、前記キー入力部からのキー入力を受け、前記記憶手段に格納された着信履歴情報を読み出し、当該読み出した着信履歴情報を表示部に表示するステップと、
前記キー入力部からのキー入力が発呼スイッチ押下か否かの判断を行い、発呼スイッチ押下であると判断した場合に前記非通知付加番号を付加する機能をＯＮにするかＯＦＦにするかの選択画面を画面表示するステップをさらに有することを特徴とする。
【００１８】
請求項８に記載された発明は、前記非通知付加番号を付加する機能がＯＮにキー入力を介して設定された場合、前記着信履歴情報の電話番号と前記読み出された着信拒否電話番号とが一致しない場合に、前記読み出した着信履歴データの電話番号で発信を行うステップをさらに有することを特徴とする。
【００１９】
請求項９に記載された発明は、前記非通知付加番号を付加する機能がＯＦＦにキー入力を介して設定された場合、前記読み出した着信履歴データの電話番号で発信を行うステップをさらに有することを特徴とする。
【００２０】
請求項１０に記載された発明は、着信を受け、着信応答を行う場合、前記記憶手段に格納されている前記電話帳情報又は前記着信拒否番号情報より着信拒否電話番号を読み出すステップと、
着信応答した電話番号と前記読み出した着信拒否電話番号が一致するか否か判断し、前記着信応答した電話番号と前記読み出した着信拒否電話番号とが一致していた場合には、着信応答した電話番号に前記非通知付加番号を付加し、前記記憶手段に当該非通知付加番号を付加した付加電話番号を格納させ、前記着信応答した電話番号と前記読み出した着信拒否電話番号とが一致していなかった場合には、前記着信応答した電話番号を前記記憶手段に格納させるステップをさらに有することを特徴とする。
【００２１】
請求項１１に記載された発明は、コンピュータに、発信者番号通知／非通知を設定し、着信履歴情報及び着信拒否電話番号情報を記憶手段に格納し、前記着信履歴情報に基づいてキー入力部を介して発呼を行う機能を有する携帯電話機における発信者番号通知の制御を実行させるプログラムであって、
前記着信履歴情報の内の着信拒否した電話番号に基づいて発呼する場合、前記記憶手段に格納された電話帳情報及び着信拒否電話番号情報から発呼したい着信拒否電話番号を読み出すステップと、
当該着信拒否電話番号と前記着信履歴情報の電話番号とが一致するかの判断を行い、一致する場合にのみ当該着信拒否電話番号に発信者番号通知を非通知とするための非通知付加番号を付加するステップを前記コンピュータに実行させることを特徴とする。
【００２２】
請求項１２に記載された発明は、
前記キー入力部からのキー入力を受け、前記記憶手段に格納された着信履歴情報を読み出し、当該読み出した着信履歴情報を表示部に表示するステップと、
前記キー入力部からのキー入力が発呼スイッチ押下か否かの判断を行い、発呼スイッチ押下であると判断した場合に前記非通知付加番号を付加する機能をＯＮにするかＯＦＦにするかの選択画面を画面表示するステップをさらに前記コンピュータに実行させることを特徴とする。
【００２３】
請求項１３に記載された発明は、前記非通知付加番号を付加する機能がＯＮにキー入力を介して設定された場合、前記着信履歴情報の電話番号と前記読み出された着信拒否電話番号とが一致しない場合に、前記読み出した着信履歴データの電話番号で発信を行うステップをさらに前記コンピュータに実行させることを特徴とする。
【００２４】
請求項１４に記載された発明は、前記非通知付加番号を付加する機能がＯＦＦにキー入力を介して設定された場合、前記読み出した着信履歴データの電話番号で発信を行うステップをさらに前記コンピュータに実行させることを特徴とする。  請求項１５に記載された発明は、
着信を受け、着信応答を行う場合、前記記憶手段に格納されている前記電話帳情報又は前記着信拒否番号情報より着信拒否電話番号を読み出すステップと、
着信応答した電話番号と前記読み出した着信拒否電話番号が一致するか否か判断し、前記着信応答した電話番号と前記読み出した着信拒否電話番号とが一致していた場合には、着信応答した電話番号に前記非通知付加番号を付加し、前記記憶手段に当該非通知付加番号を付加した付加電話番号を格納させ、前記着信応答した電話番号と前記読み出した着信拒否電話番号とが一致していなかった場合には、前記着信応答した電話番号を前記記憶手段に格納させるステップをさらに前記コンピュータに実行させることを特徴とする。
【００２５】
請求項１６に記載された発明は、請求項１１〜１５に記載のプログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）である。
【発明の効果】
【００２６】
本発明によれば、発信者電話番号を判断し着信拒否した相手の場合には１８４を付加することにより利用者端末が発信者番号通知有りで有っても、着信拒否した電話番号には発信者番号を通知しないことにより着信拒否設定した電話番号には発信者番号通知無しで発呼するが可能となるため、利用者が着信拒否した電話番号に発信者番号通知有りで発呼してしまう事を防止できる。
【００２７】
又、本発明によれば、発信者電話番号を判断する事により着信拒否した相手の場合には「１８４」を付加することにより、利用者端末が発信者番号通知有りで有っても、着信拒否した電話番号には発信者番号を通知しないことが可能になり、利用者端末の発信者番号通知機能を無しにしておく必要性が低くなるため、利用者が発信者番号通知機能を通知無し設定で使用する必要性が低くなる。
【００２８】
又、本発明によれば、発信者電話番号を判断する事により着信拒否した相手の場合には「１８４」を付加することにより、発呼できることにより誤って着信拒否してしまった場合でも、利用者の電話番号を通知することなく発呼が可能となるため、利用者が着信拒否した電話番号であっても電話番号に発信者番号通知なしでの発呼が可能となる。
【発明を実施するための最良の形態】
【００２９】
図面を参照して本発明の実施の形態について説明する。
【００３０】
本発明に係る携帯電話機の構成について図１を参照して説明する。図１に示すように本携帯電話機の基本的な構成は従来の携帯電話機と同様、無線信号の送受信を行う無線部（１００）と、処理プログラムや機能ＯＮ／ＯＦＦ情報、機能に付随した情報や着信履歴を格納する記憶部（１２０）と、携帯電話機における各種機能ＯＮ／ＯＦＦの為や各種設定の操作を行うキー入力部（１３０）と、着信履歴データ、機能設定データ、及び各種設定の為の表示を行う表示部（１４０）と、着信及び着信履歴、機能設定、発呼を制御する制御部（１１０）から構成される。
【００３１】
以下、本携帯電話機において着信履歴からの発呼における発信者番号通知制御方法について説明する。図２は、制御部（１１０）からの制御による着信履歴データからの発信者番号通知抑止機能設定の処理を示したフロー図である。
【００３２】
キー入力部（１３０）の指示を受け、制御部１１０は、表示部（１４０）が着信履歴発信者番号通知抑止機能設定ＯＮ／ＯＦＦの選択を促す選択画面を表示するよう表示制御する（ステップ２００）。
【００３３】
表示部（１４０）に表示された着信履歴発信者番号通知抑止機能設定ＯＮ／ＯＦＦの選択画面にて機能設定ＯＮ／ＯＦＦいずれかが選択された場合（ステップ２０１）、キー操作部（１３０）からの指示を受け、制御部（１１０）は、着信履歴発信者番号通知抑止機能がＯＮであるのかＯＦＦであるのかの判断を行う（ステップ２０２）。着信履歴発信者番号通知抑止機能がＯＮである場合、制御部（１１０）は記憶部（１２０）に、着信履歴発信者番号通知抑止機能ＯＮ設定情報を格納する（ステップ２０３）。
【００３４】
着信履歴発信者番号通知抑止機能ＯＦＦである場合、制御部（１１０）は記憶部（１２０）に着信履歴発信者番号通知抑止機能ＯＦＦ設定情報を格納する（ステップ２０４）。
【００３５】
次に、図３を参照し、制御部（１１０）からの制御で着信履歴データからの発呼動作について説明する。図３は制御部（１１０）における着信履歴データからの発呼処理を説明するフロー図である。
【００３６】
キー入力部（１３０）からのキー入力により、制御部（１１０）は記憶部（１２０）に格納された着信履歴データを読み出し、表示部（１４０）が当該読み出した着信履歴情報を表示するよう（ステップ３００）表示制御する。制御部（１１０）はキー入力部（１３０）からのキー入力が発呼スイッチ押下か否かの判断を行い（ステップ３０１）、発呼スイッチ押下であったならば、制御部（１１０）は記憶部（１２０）から着信履歴発信者番号通知抑止機能設定情報を読み出す（ステップ３０２）。その後、制御部（１１０）は、発信者番号通知機能抑止機能がＯＮに設定されているかＯＦＦに設定されているかの判断を行う（ステップ３０３）。前記抑止機能がＯＮに設定されている場合には、記憶部（１２０）に格納されている電話帳データ又は指定着信拒否番号リストから読み出された着信拒否電話番号データを読み出し（ステップ３０４）、制御部（１１０）は先に読み出した着信履歴データの電話番号と電話帳データ又は指定着信拒否番号リストから読み出した着信拒否電話番号とが一致するかの判断を行う（ステップ３０５）。読み出した着信履歴データの電話番号と読み出した着信拒否電話番号とが一致していた場合には、制御部（１１０）は着信履歴データの電話番号に発信者番号通知を非通知とするための「１８４」を付加し、「１８４」を付加した付加番号で無線部（１００）を介して発信を行う（ステップ３０６）。
【００３７】
発信者番号通知機能抑止機能がＯＦＦに設定されているかもしくは、着信履歴データの電話番号と電話帳データ又は指定着信拒否番号リストから読み出された着信拒否電話番号とが一致しなかった場合には、制御部（１１０）は先に読み出した着信履歴データの電話番号で無線部（１００）を介して発信を行う（ステップ３０７）。
【００３８】
次に、本発明に係る発信者番号通知制御方法の第２の実施の形態について図４を参照して説明する。図４は、制御部（１１０）の制御による着信履歴発信者番号通知抑止機能設定処理を説明するフロー図である。尚、本実施の形態における基本構成は図１と同じである。
【００３９】
表示部（１４０）は、キー操作部（１３０）の指示を受け、着信履歴発信者番号通知抑止機能のＯＮ／ＯＦＦ設定を選択する為の表示を行う（ステップ４００）。
【００４０】
キー操作部（１３０）の指示を受け、着信履歴発信者番号通知抑止機能をＯＮ設定またはＯＦＦ設定のいずれかが選択される（ステップ４０１）。制御部（１１０）は、着信履歴発信者番号通知抑止機能がＯＮに設定されているか、もしくはＯＦＦに設定されているかの判断を行う（ステップ４０２）。着信履歴発信者番号通知抑止機能がＯＮに設定されていた場合、制御部（１１０）は記憶部（１２０）に着信履歴発信者番号通知抑止機能ＯＮ設定情報を格納する（ステップ４０３）。
【００４１】
着信履歴発信者番号通知抑止機能がＯＦＦに設定されていた場合、制御部（１１０）は記憶部（１２０）に着信履歴発信者番号通知抑止機能ＯＦＦ設定情報を格納する（ステップ４０４）。
【００４２】
図５を参照し、制御部（１１０）の制御による着信応答での発信者番号非通知の格納処理について説明する。図５は制御部（１１０）の制御による着信応答での発信者番号非通知の格納処理を示すフロー図である。
【００４３】
制御部（１１）は、無線部（１００）からの着信を受け無線部（１００）を介して着信応答を行う（ステップ５００）。制御部（１１０）は記憶部（１２０）より電話帳データ又は指定着信拒否番号リストより着信拒否電話番号を読み出す（ステップ５０１）。制御部（１１０）は着信応答した電話番号と前記読み出した着信拒否電話番号が一致するか否か判断する（ステップ５０２）。前記着信応答した電話番号と前記読み出した着信拒否電話番号とが一致していた場合には、制御部（１１０）は着信応答した電話番号に発信者番号通知を非通知とするための「１８４」を付加し、記憶部（１２０）の着信履歴領域に当該「１８４」を付加した付加電話番号を格納する（ステップ５０３）。前記着信応答した電話番号と前記読み出した着信拒否電話番号とが一致していなかった場合には、制御部（１１０）は前記着信応答した電話番号を記憶部（１２０）の着信履歴領域に格納する（ステップ５０４）。
【００４４】
次に、図６を参照し、制御部（１１０）からの制御による着信履歴からの発呼動作について説明する。図６は制御部（１１０）からの制御による着信履歴データからの発呼動作を示すフロー図である。
【００４５】
キー入力部（１３０）におけるキー入力により、制御部（１１０）は、記憶部（１２０）内の着信履歴領域に格納された着信履歴データを読み出し、表示部（１４０）が当該読み出された着信履歴データを表示するよう（ステップ６００）表示制御する。制御部（１１０）は、キー入力部（１３０）におけるキー入力が発呼スイッチ押下か否かの判断を行い（ステップ６０１）、発呼スイッチ押下であったならば、着信履歴領域に格納された電話番号で、無線部（１００）を介し発呼を行う（ステップ６０２）。
【００４６】
尚、上記した各実施の形態は、本発明を好適に実施した形態の一例に過ぎず、本発明は、その主旨を逸脱しない限り、種々変形して実施することが可能なものである。
【図面の簡単な説明】
【００４７】
【図１】本発明に係る携帯電話機の構成を示した図である。
【図２】制御部からの制御による着信履歴データからの発信者番号通知抑止機能設定の処理を示したフロー図である。
【図３】制御部における着信履歴データからの発呼処理を説明するフロー図である。
【図４】制御部の制御による着信履歴発信者番号通知抑止機能設定処理を説明するフロー図である。
【図５】制御部の制御による着信応答での発信者番号非通知の格納処理を示すフロー図である。
【図６】制御部からの制御による着信履歴データからの発呼動作を示すフロー図である。
【符号の説明】
【００４８】
１００    無線部
１１０    制御部
１２０    記憶部
１３０    キー入力部
１４０    表示部
【図１】
2005323134.tif 000003
【図２】
2005323134.tif 000004
【図３】
2005323134.tif 000005
【図４】
2005323134.tif 000006
【図５】
2005323134.tif 000007
【図６】
2005323134.tif 000008